(57)【要約】【課題】  本発明は、被服に形成したスリットから露出する帯体の大きさを用途に合わせて調整することができ、スリットの全体が露出することもないため見栄えが良いフック掛け付被服を提供する。【解決手段】  ハーネスのフック３を仮に取り付けることができるハーネスのフック掛け４を有する被服１であって、フック掛４は、２つに折り返した帯体５と、被服１に形成したスリット６と、を有して構成され、帯体５の一端を被服１の外側に固定し、帯体５の中途部をスリット６内に通し、帯体５の他端の固定位置を可変として、被服１の内側に係合可能に構成したことを特徴とする。【選択図】      図３
2020172722.tif 000002
【特許請求の範囲】
【請求項１】
ハーネスのフックを仮に取り付けることができるハーネスのフック掛けを有する被服であって、
前記フック掛けは、
２つに折り返した帯体と、
前記被服に形成した前記被服の外側と内側に連通するスリットと、
を有して構成され、
前記帯体の一端を前記被服の外側に固定し、
前記帯体の中途部を前記スリット内に通し、
前記帯体の他端の固定位置を可変として、前記被服の内側に係合可能に構成したことを特徴とするフック掛け付被服。
【請求項２】
前記被服の内側に第１の面ファスナが縫着され、
前記帯体の他端に前記第１の面ファスナに係合可能な第２の面ファスナが設けられたことを特徴とする請求項１に記載のフック掛け付被服。
【請求項３】
前記被服の内側にボタンが縫着され、
前記帯体の他端に前記ボタンに係合可能な複数のボタンホールが設けられたことを特徴とする請求項１に記載のフック掛け付被服。
【発明の詳細な説明】
【技術分野】
【０００１】
本発明は、ハーネスのフックを仮に取り付けることができるハーネスのフック掛けを有する被服に関するものである。
【背景技術】
【０００２】
従来、高所作業を行う作業者は、落下を防止するために安全帯からなるハーネスを着用する。ハーネスにはランヤードが連結されており、ランヤードの先端部には構造物側に引っ掛けるフックが設けられている。特許文献１の衣服本体部の内部側には、所定の強度を有する厚手の生地を環状に構成したループが縫着して固定されている。ループはループ用開口を介して外部側に露出している。
【０００３】
ループは、着用者が多目的に使用可能で、例えば高所作業用安全帯に接続した安全綱やその他作業上必要とするカラビナ等を接続して一時的に配置させるものである。このため、作業者は上記安全綱やカラビナ等を持ち運ぶために手が拘束されることがない。ループは衣服本体部の内部側に配置（収納）することも可能であり、着用者の任意でループの配置（衣服本体部の外部側又は内部側）を決定することができる。
【先行技術文献】
【特許文献】
【０００４】
【特許文献１】特許第６１９１０２８号公報
【発明の概要】
【発明が解決しようとする課題】
【０００５】
しかしながら、特許文献１では、ループの両端部が衣服本体部の内部側に縫着して固定されているためループ用開口を介して外部側に露出しているループの大きさを調整することができなかった。このためループ用開口から長いループが露出して作業時に邪魔になったり見栄えが悪いという問題があった。また、ループを衣服本体部の内部側に収納した状態からループをループ用開口から引き出す際にループの折り返し部をループ用開口から挿入する必要があるためループを形成する厚手の生地の布厚の２倍以上の大きな開口が必要となりループを衣服本体部の内部側に収納した状態では、大きなループ用開口の全体が露出して見栄えが悪いという問題があった。
【０００６】
本発明は前記課題を解決するものであり、その目的とするところは、被服に形成したスリットから露出する帯体の大きさを用途に合わせて調整することができ、スリットの全体が露出することもないため見栄えが良いフック掛け付被服を提供するものである。
【課題を解決するための手段】
【０００７】
前記目的を達成するための本発明に係るフック掛け付被服の代表的な構成は、ハーネスのフックを仮に取り付けることができるハーネスのフック掛けを有する被服であって、前記フック掛は、２つに折り返した帯体と、前記被服に形成したスリットと、を有して構成され、前記帯体の一端を前記被服の外側に固定し、前記帯体の中途部を前記スリット内に通し、前記帯体の他端の固定位置を可変として、前記被服の内側に係合可能に構成したことを特徴とする。
【発明の効果】
【０００８】
本発明によれば、被服に形成したスリットから露出する帯体の大きさを用途に合わせて調整することができ、スリットの全体が露出することもないため見栄えが良い。
【図面の簡単な説明】
【０００９】
【図１】（ａ）は、本発明に係るフック掛け付被服の構成を示す正面図である。（ｂ）は、本発明に係るフック掛け付被服の構成を示す背面図である。（ｃ）は、帯体の他端の固定位置を変えて小さなループを形成した様子を示す正面図及び断面図である。
【図２】（ａ）は、帯体にハーネスのフックを掛けた様子を示す正面図である。（ｂ）は、被服の後身頃に設けた開口からハーネスに連結されたランヤードを露出させた様子を示す背面図である。
【図３】（ａ）は、帯体の他端の固定位置を変えて形成した小さなループにハーネスのフックを掛けた様子を示す正面図及び断面図である。（ｂ）は、帯体の他端の固定位置を変えて形成した大きなループにハーネスの他の形状のフックを掛けた様子を示す正面図及び断面図である。
【図４】（ａ）は、帯体の他端に設けられた面ファスナをスリットから被服の内側に挿入する様子を示す正面図及び断面図である。（ｂ）は、帯体を収納した様子を示す正面図及び断面図である。
【図５】（ａ）は、帯体の他の係合方法としてボタンを使用した実施形態の説明図である。（ｂ）は、帯体の他の係合方法としてスナップボタンを使用した実施形態の説明図である。
【発明を実施するための形態】
【００１０】
図により本発明に係るフック掛け付被服の一実施形態を具体的に説明する。高所作業を行う作業者は、落下を防止するために安全帯からなるハーネスを着用する。ハーネスには、図２（ａ），（ｂ）に示すランヤード２が連結されており、ランヤード２の先端部には、図２（ａ）に示すフック３が設けられている。高所作業を行う作業者は、フック３を図示しない構造物側に引っ掛けることで落下を防止することができる。
【００１１】
図１〜図４に示す被服１は、ハーネスを着用した上に着用する。図１（ｂ）及び図２（ｂ）に示すように、被服１の後身頃１ｂの中央には、ハーネスに連結されたランヤード２を後身頃１ｂの外側に引き出すための開口８が設けられている。図１（ａ）及び図２（ａ）に示すように、被服１の前身頃１ａの左右には、後身頃１ｂの開口８から後身頃１ｂの外側に引き出されたランヤード２の先端部に設けられたフック３を仮に取り付けることができるハーネスのフック掛け４がそれぞれ設けている。
【００１２】
フック掛け４は、図１（ａ），（ｃ）に示すように、２つに折り返した帯体５と、被服１の前身頃１ａの左右に被服１の内側と外側とを連通するようにそれぞれ形成した連通穴からなるスリット６とを有して構成される。帯体５の一端５ａは、被服１の前身頃１ａの左右の外側にそれぞれ縫着して固定されている。帯体５の他端には、フック状に起毛された面ファスナ７ａが設けられている。一方、被服１の前身頃１ａの左右の内側には、ループ状に密集して起毛された面ファスナ７ｂがそれぞれ縫着して固定されている。面ファスナ７ａと面ファスナ７ｂとは、図１（ｃ）の上下方向にそれぞれ所定の長さを有している。面ファスナ７ａと面ファスナ７ｂとを押し付けることで面ファスナ７ａと面ファスナ７ｂとが貼り付くことで係合可能である。
【００１３】
尚、帯体５の幅は、実施例においては３８ｍｍであるが、１０ｍｍ乃至６０ｍｍから選択することができる。素材としては、ポリプロピレン、ポリエステル、ナイロン、綿等から選択することができ、ポリプロピレンテープやポリエステル製グログランテープが好適である。
【００１４】
図４（ａ）に示すように、帯体５の他端に設けられた面ファスナ７ａと帯体５とを被服１の前身頃１ａの外側からスリット６内に挿入し、図４（ｂ）に示すように、帯体５の中途部をスリット６内に通し、図４（ｂ）に示すように、被服１の前身頃１ａの外側に露出する帯体５が最短長さとなるように被服１の前身頃１ａの内側で帯体５をＵ字形状に折り返すようにした状態で面ファスナ７ａを面ファスナ７ｂに貼り付ける。
【００１５】
図４（ｂ）に示すように、帯体５を格納することで、帯体５の中途部が被服１の前身頃１ａの外側で帯体５の一端５ａとスリット６との間で垂れ下がることなく被服１の前身頃１ａの外側に露出する帯体５が最短長さとなり、作業時に帯体５が邪魔になることがなく、スリット６は、スリット６内に挿入されている帯体５により略覆われてスリット６の全体が露出することもないため見栄えがスマートである。
【００１６】
特許文献１では、ループを衣服本体部の内部側に収納した状態では、大きなループ用開口の全体が露出して見栄えが悪いという問題があったが、本実施形態では、帯体５がスリット６内に挿入された状態で格納されているためスリット６の全体が露出することがなく、また、帯体５も被服１の前身頃１ａの外側でループを形成しない状態で格納されているため見栄えがスマートである。
【００１７】
また、特許文献１では、ループを衣服本体部の内部側に収納した状態からループをループ用開口から引き出す際にループの折り返し部をループ用開口から挿入する必要があるためループを形成する厚手の生地の布厚の２倍以上の大きな開口幅が必要となり、ループを衣服本体部の内部側に収納した状態では、大きな開口幅を有するループ用開口の全体が露出して見栄えが悪いという問題があったが、本実施形態では、図４（ａ）に示すように、帯体５の他端に設けられた面ファスナ７ａ及び帯体５を被服１の前身頃１ａの外側からスリット６内に挿入する際に面ファスナ７ａ及び帯体５が通過できる程度の大きさでスリット６の開口幅を形成すれば良いため特許文献１のループ用開口と比較すると本実施形態のスリット６は小さな開口で良い。
【００１８】
また、図４（ｂ）に示す状態から面ファスナ７ｂに貼り付いた面ファスナ７ａを引き剥がすことで面ファスナ７ａと面ファスナ７ｂとが剥がれる。その状態で、図３（ａ），（ｂ）に示すように、面ファスナ７ｂに対して面ファスナ７ａを貼り付ける高さ位置を調整することで、スリット６から被服１の前身頃１ａの外側に露出する帯体５により形成されるループの大きさを用途に合わせて調整することができる。
【００１９】
このように、帯体５の他端に設けられた面ファスナ７ａの面ファスナ７ｂに対する固定位置を可変としたことで、図４（ｂ）に示すように、帯体５を収納した際の見栄えが良く、図３（ａ），（ｂ）に示すように、スリット６から被服１の前身頃１ａの外側に露出する帯体５のループの大きさを用途に合わせて調整することができる。図３（ａ）は、小さな断面積を有するハーネスのフック３を掛けるためにスリット６から被服１の前身頃１ａの外側に露出する帯体５のループを小さく設定したものであり、図３（ｂ）は、大きな断面積を有するハーネスのフック３を掛けるためにスリット６から被服１の前身頃１ａの外側に露出する帯体５のループを大きく設定したものである。
【００２０】
尚、本実施形態では、被服１の前身頃１ａの内側にループ状に密集して起毛された面ファスナ７ｂを縫着し、帯体５の他端にフック状に起毛された面ファスナ７ａを設けた場合の一例であるが、逆に、帯体５の他端にループ状に密集して起毛された面ファスナ７ｂを設け、被服１の前身頃１ａの内側にフック状に起毛された面ファスナ７ａを縫着して固定した構成でも良い。また、被服１の前身頃１ａの外側に面ファスナ７ｂを縫着し、帯体５の一端５ａを被服１の前身頃１ａの内側に縫着し、帯体５の中途部をスリット６内に通して、被服１の前身頃１ａの外側の面ファスナ７ｂに対して帯体５の他端に設けた面ファスナ７ａの固定位置を変える構成でも良い。
【００２１】
図４（ｂ）に示すように、帯体５を収納した状態では、被服１の前身頃１ａに形成したスリット６を介して、帯体５を被服１の前身頃１ａの両側に折り畳むことで、帯体５は、被服１の前身頃１ａの表面から突出しないが、図２（ａ）に示すように、ハーネスのフック３を帯体５に仮止めする場合は、図３（ａ），（ｂ）に示すように、被服１の前身頃１ａの内側に縫着した面ファスナ７ｂに貼り付ける帯体５の他端に設けた面ファスナ７ａの固定位置を変えて、帯体５を被服１の前身頃１ａの外側へ引き出すことで、ハーネスのフック３を掛けるループを帯体５により形成することができる。図２（ａ）に示すフック３は、外れ止め３ａを回動することで開口し、その開口からループを形成した帯体５を挿入してフック３を帯体５に仮止めすることができる。
【００２２】
尚、開口を有さないＤ環や円環等の環状部材であっても図４（ａ）に示すように、スリット６から被服１の前身頃１ａの外側に帯体５を引き出し、Ｄ環や円環等の環状部材内に帯体５を通して面ファスナ７ａ及び帯体５をスリット６を通して被服１の前身頃１ａの内側に引き込み、面ファスナ７ａを被服１の前身頃１ａの内側に縫着した面ファスナ７ｂに貼り付けることでＤ環や円環等の環状部材を帯体５に仮止めすることもできる。
【００２３】
このように、被服１の前身頃１ａに形成したスリット６から被服１の前身頃１ａの外側に露出する帯体５の大きさを用途に合わせて調整することができるため被服１の前身頃１ａの外側に露出する帯体５を最小限とすることで作業時に帯体５が邪魔になることが最小限に抑えられ、スリット６の全体が露出することもないため見栄えが良い。
（他の実施形態）
【００２４】
図５（ａ）に示すように、面ファスナの代わりに帯体５の他端に帯体５の長手方向に沿って異なる位置に複数のボタンホール１７ａを設け、被服１の前身頃１ａの内側に縫着したボタン１７ｂに所望のボタンホール１７ａを掛けることでスリット６から被服１の前身頃１ａの外側に露出する帯体５により形成されるループの大きさを用途に合わせて調整することもできる。
【００２５】
また、図５（ｂ）に示すように、帯体５の長手方向に沿って異なる位置に複数の凸スナップボタン２７ａを設け、被服１の前身頃１ａの内側に設けた凹スナップボタン２７ｂに所望の凸スナップボタン２７ａを掛けることで、同様に露出する帯体５により形成されるループの大きさを用途に合わせて調整する構造としてもよい。
【産業上の利用可能性】
【００２６】
本発明の活用例として、ハーネスのフックを仮に取り付けることができるハーネスのフック掛けを有する被服に適用できる。
【符号の説明】
【００２７】
１…被服
１ａ…前身頃
１ｂ…後身頃
２…ランヤード
３…フック
３ａ…外れ止め
４…フック掛け
５…帯体
５ａ…帯体５の一端
６…スリット
７ａ…面ファスナ（第２の面ファスナ）
７ｂ…面ファスナ（第１の面ファスナ）
８…開口
１７ａ…ボタンホール
１７ｂ…ボタン
２７ａ…凸スナップボタン
２７ｂ…凹スナップボタン
【図１】
2020172722.tif 000003
【図２】
2020172722.tif 000004
【図３】
2020172722.tif 000005
【図４】
2020172722.tif 000006
【図５】
2020172722.tif 000007